(57)【要約】【課題】静電気除去具を別に用意する必要がなく、静電気除去機能を有し且つ携帯に便利な多芯筆記具を提供する。【解決手段】軸筒２内に複数のレフィル４，５を前後方向に移動可能に収容する。各々のレフィル４，５の後端に操作部４３，５３を備える。各々の窓孔２２から径方向外方に前記各々の操作部４３，５３を突出させる。レフィルの一つが静電気除去機能を有する。静電気除去機能を有するレフィル４のチップ部４１及び操作部４３を導電性材料により構成する。導電性材料によりなるチップ部４１と操作部４３との間を、抵抗体４４を介して電気的に接続してなる。【選択図】  図１
2011093207.tif 000002
【特許請求の範囲】
【請求項１】
軸筒内に複数のレフィルを前後方向に移動可能に収容し、前記各々のレフィルの後端に操作部を設け、前記各々のレフィルを後方に付勢する複数の弾発体を軸筒内に収容し、前記軸筒の側壁に前後方向に延びる複数の窓孔を径方向に貫設し、前記各々の窓孔から径方向外方に前記各々の操作部を突出させ、一つの操作部を窓孔に沿って前方にスライドさせることにより、その一つの操作部を有するレフィルのチップ部を軸筒の前端孔から突出させるとともに、先に突出状態にあった他のレフィルのチップ部を軸筒内に没入させてなる多芯筆記具であって、
前記レフィルの一つが静電気除去機能を有し、前記静電気除去機能を有するレフィルのチップ部及び操作部を導電性材料により構成し、前記導電性材料によりなるチップ部と操作部との間を、抵抗体を介して電気的に接続してなることを特徴とする多芯筆記具。
【請求項２】
静電気除去機能を有するレフィルのチップ部が軸筒の前端孔より外部に突出した状態で、静電気除去機能を有するレフィルの操作部が窓孔より径方向外方に突出してなる請求項１記載の多芯筆記具。
【請求項３】
軸筒の後端に、窓孔を後方に開口させる開閉自在の開口部を設け、前記開口部を通して前記静電気除去機能を有するレフィルを軸筒内から取り外し可能且つ軸筒内に挿入可能に構成した請求項１または２記載の多芯筆記具。
【請求項４】
使用時に軸筒内に複数本が収容され、各々の後端に備えた操作部を軸筒の側壁より突出させ、前記操作部を前方にスライド操作することにより軸筒の前端孔からチップ部を出没させる多芯筆記具用レフィルであって、
前記レフィルが静電気除去機能を有し、前記レフィルのチップ部及び操作部を導電性材料により構成し、前記導電性材料によりなるチップ部と操作部との間を、抵抗体を介して電気的に接続してなることを特徴とする多芯筆記具用レフィル。
【発明の詳細な説明】
【技術分野】
【０００１】
本発明は、多芯筆記具及び多芯筆記具用レフィルに関する。
【背景技術】
【０００２】
従来、この種の多芯筆記具において、特許文献１には、軸筒内に複数の筆記体を前後方向に移動可能に収容し、前記各々の筆記体を後方に付勢する複数のコイルスプリングを軸筒内に収容し、前記各々の筆記体の後端に操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させる多芯筆記具が開示されている。
【先行技術文献】
【特許文献】
【０００３】
【特許文献１】特開２００７−３０２４０号公報
【発明の概要】
【発明が解決しようとする課題】
【０００４】
冬場の乾燥した時期に、金属物（例えば、金属製ドアノブ、金属製手すり等）に手で触れたときに、人体から金属物へ静電気が放電することによって衝撃が発生することがある。そのため、それを気にするユーザーは、静電気除去具の携帯を余儀なくされる。
【０００５】
本発明は、静電気除去具を別に用意する必要がなく、静電気除去機能を有し且つ携帯に便利な多芯筆記具を提供しようとするものである。また、本発明は、ユーザーが選択して軸筒内に収容して使用することができる、静電気除去機能を有する多芯筆記具用レフィルを提供しようとするものである。
【０００６】
尚、本発明において、「前」とは前端孔側及びチップ部側を指し、「後」とはその反対側を指す。
【課題を解決するための手段】
【０００７】
［１］本願の第１の発明は、軸筒２内に複数のレフィル４，５を前後方向に移動可能に収容し、前記各々のレフィル４，５の後端に操作部４３，５３を設け、前記各々のレフィル４，５を後方に付勢する複数の弾発体６を軸筒２内に収容し、前記軸筒２の側壁に前後方向に延びる複数の窓孔２２を径方向に貫設し、前記各々の窓孔２２から径方向外方に前記各々の操作部４３，５３を突出させ、一つの操作部４３，５３を窓孔２２に沿って前方にスライドさせることにより、その一つの操作部４３，５３を有するレフィル４のチップ部４１，５１を軸筒２の前端孔２１から突出させるとともに、先に突出状態にあった他のレフィル５，４のチップ部５１，４１を軸筒２内に没入させてなる多芯筆記具であって、前記レフィルの一つが静電気除去機能を有し、前記静電気除去機能を有するレフィル４，５のチップ部４１及び操作部４３を導電性材料により構成し、前記導電性材料によりなるチップ部４１と操作部４３との間を、抵抗体４４を介して電気的に接続してなることを要件とする。
【０００８】
前記第１の発明の多芯筆記具１は、レフィルの一つが静電気除去機能を有し、前記静電気除去機能を有するレフィル４のチップ部４１及び操作部４３を導電性材料により構成し、前記導電性材料によりなるチップ部４１と操作部４３との間を、抵抗体４４を介して電気的に接続してなることにより、静電気除去具を別に用意する必要がなく、静電気除去機能を有し且つ携帯に便利となる。尚、本発明で、他のレフィル５は筆記具レフィルである。
【０００９】
［２］本願の第２の発明は、前記第１の発明の多芯筆記具１において、静電気除去機能を有するレフィル４のチップ部４１が軸筒２の前端孔２１より外部に突出した状態で、静電気除去機能を有するレフィル４の操作部４３が窓孔２２より径方向外方に突出してなることを要件とする。
【００１０】
前記第２の発明の多芯筆記具１は、静電気除去機能を有するレフィル４のチップ部４１が軸筒２の前端孔２１より外部に突出した状態で、静電気除去機能を有するレフィル４の操作部４３が窓孔２２より径方向外方に突出してなることにより、静電気除去を行う際、操作部４３を手で容易に接触することでき、静電気除去を確実に行うことができる。
【００１１】
［３］本願の第３の発明は、前記第１または第２の発明の多芯筆記具１において、軸筒２の後端に、窓孔２２を後方に開口させる開閉自在の開口部２３を設け、前記開口部２３を通して前記静電気除去機能を有するレフィル４を軸筒２内から取り外し可能且つ軸筒２内に挿入可能に構成したことを要件とする。
【００１２】
前記第３の発明の多芯筆記具１は、開口部２３を通して前記静電気除去機能を有するレフィル４を軸筒２内から取り外し可能且つ軸筒２内に挿入可能に構成したことにより、ユーザーが選択して静電気除去機能を有するレフィル４を軸筒２内に収容して使用すること（例えば、静電気除去機能を有するレフィル４を冬場の乾燥時期のみに使用すること）ができる。
【００１３】
［４］本願の第４の発明は、使用時に軸筒２内に複数本が収容され、各々の後端に備えた操作部４３を軸筒２の側壁より突出させ、前記操作部４３を前方にスライド操作することにより軸筒２の前端孔２１からチップ部４１を出没させる多芯筆記具用レフィルであって、前記レフィル４が静電気除去機能を有し、前記レフィル４のチップ部４１及び操作部４３を導電性材料により構成し、前記導電性材料によりなるチップ部４１と操作部４３との間を、抵抗体４４を介して電気的に接続してなることを要件とする。
【００１４】
前記第４の発明の多芯筆記具用レフィル４は、ユーザーが選択して軸筒２内に収容して使用すること（例えば、冬場の乾燥時期のみに使用すること）ができる、静電気除去機能を有するレフィルを得る。
【発明の効果】
【００１５】
本発明の多芯筆記具は、静電気除去具を別に用意する必要がなく、静電気除去機能を有し且つ携帯に便利となる。
【００１６】
本発明の多芯筆記具用レフィルは、ユーザーが選択して軸筒内に収容して使用することができる、静電気除去機能を有するレフィルを得る。
【図面の簡単な説明】
【００１７】
【図１】本発明の多芯筆記具の実施の形態における全チップ部没入時を示す縦断面図である。
【図２】図１の多芯筆記具の静電気除去機能を有するレフィルのチップ部が突出した状態を示す縦断面図である。
【図３】図１の多芯筆記具の後端の開口部を開口させ、操作部を僅かに引き出した状態を示す側面図である。
【図４】図１の多芯筆記具に用いる静電気除去機能を有するレフィルの縦断面図である。また、本発明の多芯筆記具用レフィルの実施の形態の縦断面図である。
【図５】図１の多芯筆記具に用いる静電気除去機能を有するレフィルの縦断面図である。また、本発明の多芯筆記具用レフィルの実施の形態の縦断面図である。
【発明を実施するための形態】
【００１８】
図１乃至図５に本発明の実施の形態を示す。
本実施の形態の多芯筆記具１は、軸筒２内に複数本（具体的には２本）のレフィル４，５が前後方向に移動可能に収容される。前記各々のレフィル４，５の後端には操作部４３，５３が設けられる。前記軸筒２内には、前記レフィル４，５の本数に対応した複数（具体的には２個）の弾発体６が収容される。前記各々の操作部４３，５３が、前記各々の弾発体６により後方に付勢されている。本実施の形態では、軸筒２内に収容するレフィル４，５の本数は、２本であるが、これ以外にも、例えば、３本、４本、５本、６本であってもよい。
【００１９】
・弾発体
前記弾発体６は、コイルスプリング（具体的には圧縮コイルスプリング）からなる。前記弾発体６の前端部及び後端部には密着巻部が形成される。
【００２０】
・軸筒
前記軸筒２は、先細状の円筒体からなる前軸２ａと、該前軸２ａの後端部と螺合または圧入により取り付けられる円筒状の後軸２ｂとからなる。前記前軸２ａの前端には、レフィル４，５のチップ部４１，５１が突出可能な前端孔２１が前後方向に貫設される。前記前軸２ａ及び後軸２ｂは、合成樹脂（例えば、ポリカーボネイト等）の射出成形により得られる。
【００２１】
前記後軸２ｂの後部の側壁には、複数本（具体的には２本）の前後方向に延びる細長状の窓孔２２が、径方向に貫設される。前記２本の窓孔２２は、互いに、軸線に対して対称の位置（１８０度対称位置）に形成される。また、前記後軸２ｂの後端部には、前後方向に貫通し且つ径方向外方に開口する開口部２３が形成される。前記開口部２３は、後軸２ｂの後端（即ち軸筒２の後端）において各々の窓孔２２と連通され、それにより、各々の窓孔２２後端が後方に切り欠かれて後方に開口されている。一方、前記各々の窓孔２２の前端は常時閉鎖されている。
【００２２】
また、前記後軸２ｂの窓孔２２の相互間の側壁内面には、前後方向に延びるリブよりなる係止壁部２４が一体に形成され、前記係止壁部２４に、レフィル４，５のチップ部４１，５１が突出した際のレフィル４，５の操作部４３，５３の後端が係止される。また、尚、前記係止壁部２４は、軸筒２（後軸２ｂ）の内壁に一体に形成してもよいし、軸筒２内に別部材を収容配置することによって設けてもよい。
【００２３】
・隔壁
また、前記軸筒２の内壁（即ち後軸２ｂの内壁）には、前後方向に延び且つ径方向内方に突出する２本のリブよりなる隔壁２５が、軸線に対して対称位置に一体に形成される。前記隔壁２５は、前記係止壁部２４の相互間に形成されるとともに、その前端が、弾発体支持部７の後方且つ窓孔２２の前方に位置される。
【００２４】
前記後軸２ｂの窓孔２２の相互間の側壁外面には、クリップ２６が設けられる。
【００２５】
・弾発体支持部
軸筒２の内壁（即ち後軸２ｂの内壁）には、円筒状の弾発体支持部７が固着される。前記弾発体支持部７は、レフィル４，５が挿通される複数（具体的には２個）の内孔７１が前後方向に貫設されている。レフィル４，５を軸筒２内に収容した状態において、前記弾発体支持部７の後面と、各々の操作部４３，５３の鍔部４３ｅ，５３ｅの前面との間には、弾発体６が配置される。前記各々の弾発体６の内部にレフィル４，５（即ち、接続管４２、インキ収容管５２）が遊挿されるとともに、各々の弾発体６の前端は弾発体支持部７の後面に係止され、各々の弾発体６の後端は操作部４３，５３の鍔部４３ｅ，５３ｅの前面に係止される。尚、前記弾発体支持部７は、軸筒２内壁に一体に形成されてもよい。
【００２６】
・蓋部
前記後軸２ｂの後端部には、前記開口部２３を開閉自在にする蓋部３が回動自在に設けられる。前記蓋部３の一端部は、クリップ２６基部に、ヒンジ部３２により回動自在に接続される。前記ヒンジ部３２は、チップ部下向きでクリップ２６を正面視したときのクリップ２６の左右方向に延設され、それにより、前記蓋部３は、略前後方向に回動自在となる。前記蓋部３の前面には、当接壁部３１が形成される。前記当接壁部３１に、チップ部没入状態のレフィル４，５の後端の操作部４３，５３の後端が当接される。
【００２７】
前記蓋部３の他端部の前面には、係合部３３が設けられる（具体的には係合凹部または係合孔部が形成される）。後軸２ｂの後端には、前記係合部３３と係合可能な被係合部２７が設けられる（具体的には係合凸部が突設される）。
【００２８】
前記係合部３３と前記被係合部２７とは、蓋部３が開口部２３を閉鎖した際、互いに係合状態にあり、弾発体６の後方への付勢による操作部４３，５３と蓋部３の前面の当接壁部３１との当接では、その係合状態は解除されず、蓋部３が開くことはない。
【００２９】
・多芯筆記具用レフィル
図４及び図５に、本発明の多芯筆記具用レフィル４の実施の形態、及び図１の多芯筆記具１に用いる静電気除去機能を有するレフィル４を示す。
【００３０】
図４に示すレフィル４は、チップ部４１と、操作部４３と、前記チップ４１部と操作部４３との間を接続する接続管４２とを備える。前記接続管４２内部において、チップ部４１、抵抗体４４、及び操作部４３が直列に電気的に接続される。前記チップ部４１及び操作部４３は、導電性材料から形成される。前記導電性材料は、例えば、金属、導電性樹脂、導電性エラストマー、導電性セラミック、導電性皮膜を有する樹脂等が挙げられる。前記接続管４２は、両端が開口された筒状体であり、絶縁材料（例えば、ポリプロピレン等の非導電性合成樹脂）からなる。前記接続管４２の前端開口部には、チップ部４１が圧入固着され、前記接続管４２の後端開口部には、操作部４３の嵌入部４３ｄが圧入固着される。前記抵抗体４４は、１メガオーム以上の高い抵抗値を示すものが採用される。
【００３１】
図５に示すレフィル４は、チップ部４１と、操作部４３と、前記チップ部４１と操作部４３との間を接続する接続管４２とを備える。前記接続管４２内部において、チップ部４１、発光ダイオード４５、抵抗体４４、及び操作部４３が直列に電気的に接続される。前記チップ部４１及び操作部４３は、導電性材料から形成される。前記導電性材料は、例えば、金属、導電性樹脂、導電性エラストマー、導電性セラミック、導電性皮膜を有する樹脂が挙げられる。前記接続管４２は、両端が開口された筒状体であり、絶縁材料（例えば、ポリプロピレン等の非導電性合成樹脂）からなる。前記接続管４２の前端開口部には、チップ部４１が圧入固着され、前記接続管４２の後端開口部には、操作部４３の嵌入部４３ｄが圧入固着される。前記抵抗体４４は、１メガオーム以上の高い抵抗値を示すものが採用される。前記発光ダイオード４５は、操作部４３からチップ部４１に静電気が流れたときに発光し、静電気が除電されたことを確認するものである。
【００３２】
静電気除去機能を有するレフィル４の後端の操作部４３は、後端部に形成され且つ軸筒２の窓孔２２から外部に突出する接触部４３ａと、該接触部４３ａの径方向反対側に設けられる前側突出部４３ｂと、該接触部４３ａの径方向反対側の前側突出部４３ｂの後方に設けられる後側突出部４３ｃと、前端部に形成され且つ接続管４２の後端開口部２３に嵌入される嵌入部４３ｄと、該嵌入部４３ｄの後方に形成される鍔部４３ｅとを備える。前記静電気除去機能を有するレフィル４を軸筒２内に収容した状態において、前記鍔部４３ｅの前面に弾発体６の後端が係止される。
【００３３】
図１及び図２に示す他のレフィル５は、筆記具レフィル（ボールペンレフィル）であり、前端にボールが回転可能に抱持されたチップ部５１（ボールペンチップ）と、該チップ部５１を前端に備えたチップ部保持筒と、該チップ部保持筒を前端に備えたインキ収容管５２とからなる。
【００３４】
また、前記チップ部５１は、前端に回転可能に抱持されたボールをスプリング等により前方に付勢し、前端縁部の内面にボールを密接させる構成でもよい。また、前記チップ部５１は、インキ収容管５２の前端開口部に圧入等により直接、取り付けてもよいが、本実施の形態ではチップ部保持筒を介してインキ収容管５２の前端開口部に固着される。尚、本発明（即ち第１の発明）では、前記筆記具レフィル５は、ボールペンレフィル以外に、例えば、シャープペンシルレフィル、マーキングペンレフィル、入力ペンレフィル等であってもよい。
【００３５】
前記インキ収容管５２の内部には、インキ（例えば、剪断減粘性を有する水性ゲルインキ、低粘度の水性インキ、低粘度の油性インキ、または高粘度の油性インキ）が収容される。前記インキが、剪断減粘性を有する水性ゲルインキ、低粘度の水性インキ、または低粘度の油性インキの場合、インキ収容管５２内のインキの後端には、インキの消費に伴い前進する高粘度流体からなる追従体が充填される。
【００３６】
筆記具レフィル５の後端の操作部５３は、後端部に形成され且つ軸筒２の窓孔２２から外部に突出する接触部５３ａと、該接触部５３ａの径方向反対側に設けられる前側突出部５３ｂと、該接触部５３ａの径方向反対側の前側突出部５３ｂの後方に設けられる後側突出部５３ｃと、前端部に形成され且つインキ収容管５２の後端開口部に嵌入される嵌入部５３ｄと、該嵌入部５３ｄの後方に形成される鍔部５３ｅとを備える。レフィル５を軸筒２内に収容した状態において、前記鍔部５３ｅの前面に弾発体６の後端が係止される。
【００３７】
レフィル４，５のチップ部４１，５１が軸筒２内に没入状態のとき、そのレフィル４，５の操作部４３，５３の後端部は、蓋部３の前面に形成された当接壁部３１に当接される。一方、レフィル４，５のチップ部４１，５１が突出状態のとき、そのレフィル４，５の操作部４３、５３の後端部は、軸筒２の内壁に形成された係止壁部２４に係止される。
【００３８】
チップ部没入状態にあるレフィル４，５の後端の操作部４３，５３の前側突出部４３ｂ，５３ｂは、その操作部４３，５３を前方にスライド操作した際、先に突出状態にある他のレフィル５，４の後端の操作部５３，４３の後側突出部５３ｃ，４３ｃと当接され、他のレフィル５，４のチップ部突出状態が解除される。
【００３９】
・チップ部の出没
本実施の形態におけるチップ部４１，５１の出没作動について説明する（図１及び図２参照）。
一つの操作部４３，５３を弾発体６の後方付勢に抗して窓孔２２に沿って前方にスライド操作すると、そのスライド操作された操作部４３，５３の前側突出部４３ｂ，５３ｂが、先に突出状態にある他のレフィル５，４の操作部５３，４３の後側突出部４３ｃ，５３ｃを径方向外方に持ち上げる。それにより、軸筒２内壁の係止壁部２４と操作部５３，４３との係止状態が解除され、他のレフィル５，４が弾発体６の後方付勢により後方に移動され、他のレフィル５，４のチップ部５１，４１が軸筒２内に没入され、他のレフィル５，４の操作部５３，４３の後端が蓋部３の前面の当接壁部３１に当接される。前記他のレフィル５，４のチップ部５１，４１の没入と同時に、前記前方にスライド操作した操作部４３，５３を有するレフィル４，５のチップ部４１，５１が、軸筒２の前端孔２１より外部に突出されるとともに、前方にスライド操作された操作部４３，５３の後端が軸筒２内壁の係止壁部２４に係止され、そのチップ部突出状態が維持される。
【００４０】
・レフィルの交換
本実施の形態におけるレフィル４，５の交換について説明する。
レフィル４，５を交換する際、蓋部３が軸筒２の後端の開口部２３を閉鎖した状態（図１参照）から、蓋部３のヒンジ部３２と反対側の操作端部を後方に押圧し、係合部３３と被係合部２７との係合を解除し、蓋部３を後方に回動させ、軸筒２の後端の開口部２３を開口する。前記開口部２３を開口させると、前記開口部２３から各々の操作部４３，５３が、弾発体６の後方付勢により後方外部に突出される。前記軸筒２の後端の開口部２３が開口した状態（図３参照）で、操作部４３，５３を取り出すことにより、その操作部４３，５３を備えたレフィル４，５を、前記開口部２３を通して軸筒２内から取り出す。その後、新たなレフィル４，５を、前記開口部２３を通して軸筒２内に挿入する。そして、蓋部３の当接壁部３１に各々の操作部４３，５３を当接させ、各々の操作部４３，５３を前方に押圧しながら蓋部３を前方に回動させ、その後、係合部３３と被係止部２７とを係合させ、開口部２３を閉鎖する。これにより、レフィル４，５の交換作業が終了する。
【００４１】
・静電気除去
静電気の除去について説明する。
前記静電気除去機能を有するレフィル４のチップ部４１を軸筒２の前端孔２１から外部に突出させる。この状態で、操作部４３の接触部４３ａに手で触れながら多芯筆記具１を把持し、レフィル４のチップ部４１を金属物に接触させる。これにより、人体からの静電気が抵抗体４４を通って金属物へ流れ、人体の静電気が除去される。このとき、静電気は抵抗体４４をゆっくり流れるため、手に衝撃を感じることを回避できる。
【００４２】
本実施の形態の多芯筆記具１は、レフィルの一つが静電気除去機能を有し、前記静電気除去機能を有するレフィル４のチップ部４１及び操作部４３を導電性材料により構成し、前記導電性材料によりなるチップ部４１と操作部４３との間を、抵抗体４４を介して電気的に接続してなることにより、静電気除去具を別に用意する必要がなく、静電気除去機能を有し且つ携帯に便利となる。
【００４３】
本実施の形態の多芯筆記具１は、静電気除去機能を有するレフィル４のチップ部４１が軸筒２の前端孔２１より外部に突出した状態で、静電気除去機能を有するレフィルの操作部４３が窓孔２２より径方向外方に突出してなることにより、静電気除去を行う際、操作部４３を手で容易に接触することでき、静電気除去を確実に行うことができる。
【００４４】
本実施の形態の多芯筆記具１は、開口部２３を通して前記静電気除去機能を有するレフィル４を軸筒２内から取り外し可能且つ軸筒２内に挿入可能に構成したことにより、ユーザーが選択して静電気除去機能を有するレフィル４を軸筒２内に収容して使用すること（例えば、静電気除去機能を有するレフィル４を冬場の乾燥時期のみに使用すること）ができる。
【００４５】
本実施の形態の多芯筆記具用レフィル４は、使用時に軸筒２内に複数本が収容され、各々の後端に備えた操作部４３を軸筒２の側壁より突出させ、前記操作部４３を前方にスライド操作することにより軸筒２の前端からチップ部４１を出没させる多芯筆記具用レフィルであって、前記レフィル４が静電気除去機能を有し、前記レフィル４のチップ部４１及び操作部４３を導電性材料により構成し、前記導電性材料によりなるチップ部４１と操作部４３との間を、抵抗体４４を介して電気的に接続してなることにより、ユーザーが選択して軸筒２内に収容して使用すること（例えば、冬場の乾燥時期のみに使用すること）ができる，静電気除去機能を有するレフィルを得る。
【符号の説明】
【００４６】
１  多芯筆記具
２  軸筒
２ａ  前軸
２ｂ  後軸
２１  前端孔
２２  窓孔
２３  開口部
２４  係止壁部
２５  隔壁
２６  クリップ
２７  被係合部
３  蓋部
３１  当接壁部
３２  ヒンジ部
３３  係合部
４  静電気除去機能を有するレフィル
４１  チップ部
４２  接続管
４３  操作部
４３ａ  接触部
４３ｂ  前側突出部
４３ｃ  後側突出部
４３ｄ  嵌入部
４３ｅ  鍔部
４４  抵抗体
４５  発光ダイオード
５  筆記具レフィル
５１  チップ部
５２  インキ収容管
５３  操作部
５３ａ  接触部
５３ｂ  前側突出部
５３ｃ  後側突出部
５３ｄ  嵌入部
５３ｅ  鍔部
６  弾発体
７  弾発体支持部
７１  内孔
【図１】
2011093207.tif 000003
【図２】
2011093207.tif 000004
【図３】
2011093207.tif 000005
【図４】
2011093207.tif 000006
【図５】
2011093207.tif 000007